(57)【要約】【課題】使用に際して強度等劣化がなく、持続性のある着臭効果及び消臭効果があり、抗菌性、防カビ性および防汚性等がある新規の羽毛の提供、及び当該羽毛を詰めた新規の蒲団等寝具類、並びに同羽毛を詰めた新規の衣類の提供を目的とする。【解決手段】、原羽毛１が基材２にされ、当該基材２の表面にはアパタイト４と二酸化チタン光触媒剤５からなる無機系複合抗菌剤３がバインダー６に混入された状態で噴霧により付着され、前記付着は、洗浄・脱水後の原羽毛の乾燥工程直後に、温度７０〜１１０℃、時間３０〜１５分でされ、付着量は、0.1〜0.2重量％にされ、また、前記無機系複合抗菌剤３のバインダー６に対する混合量は、0.5〜1.0重量％にされたことを特徴とする。【選択図】図２
2005314849.tif 000002
【特許請求の範囲】
【請求項１】
原羽毛が基材にされ、当該基材の表面に無機系複合抗菌剤が付着されたことを特徴とする羽毛。
【請求項２】
無機系複合抗菌剤は、アパタイトと酸化チタン光触媒剤の複合剤であることを特徴とする請求項１記載の羽毛。
【請求項３】
無機系複合抗菌剤は、アパタイトが酸化チタン光触媒剤の表面に被覆されたものであることを特徴とする請求項２記載の羽毛。
【請求項４】
無機系複合抗菌剤は、アパタイトの被覆が酸化チタン光触媒剤の表面を一部露呈した状態で施されたことを特徴とする請求項２記載の羽毛。
【請求項５】
無機系複合抗菌剤は、アパタイトと銀等無機抗菌剤の複合剤であることを特徴とする請求項１記載の羽毛。
【請求項６】
無機系複合抗菌剤は、ゼオライトと酸化チタン光触媒剤の複合剤であることを特徴とする請求項１記載の羽毛。
【請求項７】
無機系複合抗菌剤は、ゼオライトと銀等無機抗菌剤との複合剤であることを特徴とする請求項１記載の羽毛。
【請求項８】
銀等無機抗菌剤は、銀、銅、亜鉛等金属と、その化合物若しくはそれらの混合物を無機物に担持させたものであることを特徴とする請求項５または７記載の羽毛。
【請求項９】
無機系複合抗菌剤は、バインダーに混入され、噴霧により基材の表面に付着されたことを特徴とする請求項１〜請求項８のいずれか一つの請求項記載の羽毛。
【請求項１０】
無機系複合抗菌剤の付着が、基材の表面に接着面を形成してされたことを特徴とする請求項１〜請求項８のいずれか一つの請求項記載の羽毛。
【請求項１１】
無機系複合抗菌剤の付着が、洗浄・脱水後の原羽毛の乾燥工程直後にされたことを特徴とする請求項１〜請求項１０のいずれか一つの請求項記載の羽毛。
【請求項１２】
無機系複合抗菌剤の付着が、温度７０〜１１０℃、時間３０〜１５分でされたことを特徴とする請求項１１記載の羽毛。
【請求項１３】
請求項１〜請求項１２のいずれか一つの請求項記載の羽毛を入れて構成されたことを特徴とする寝具類。
【請求項１４】
請求項１〜請求項１２のいずれか一つの請求項記載の羽毛を入れて構成されたことを特徴とする衣類。
【発明の詳細な説明】
【技術分野】
【０００１】
本発明は、蒲団等詰め物入り寝具類、詰め物入り衣類に詰め物として用いる羽毛及び当該羽毛を詰めた蒲団等寝具類並び同羽毛を詰めた衣類に関し、詳しくは、着臭防止力、消臭力、抗菌力、防カビ力および防汚力に優れた羽毛及び当該羽毛を詰めた蒲団等寝具類並び同羽毛を詰めた衣類に関する。
【０００２】
本発明に係る羽毛は、ダウン（綿羽）、フェザー（羽根）及びスモールフェザー（小羽根）を含む。
【背景技術】
【０００３】
近年、生活水準の向上に伴い、健康および衛生に関する意識も高まり、消臭性、抗菌性、防汚性などに対して高いニーズがある。
【０００４】
そもそも、睡眠中には、かく汗や、栄養分を含む皮脂、皮膚から脱落する古い角質細胞などが蒲団に付着する。そして、この付着が悪臭を発生するようになることは、経験的によく知られている。
【０００５】
また、前記の汗や皮脂、古い角質細胞片は、蒲団内部にも浸透し、汚れとなって詰め物に付着する。これからも悪臭を発生し、不快な思いをする場合がある。これを放置すれば、雑菌やカビが発生し衛生上も問題となる。また寝具の上でタバコを吸った場合、タバコ臭が付着しやすい問題がある。
【０００６】
従前、前記諸問題を解決する手段や消臭機能等を謳う技術が数多く提案されている。これらは、大きく分類すると、感覚的消臭方法、物理的消臭方法、臭気物質をそれほど臭わない他の物質に化学変化させる化学的消臭方法などの３つに大別できる。
【０００７】
前記感覚的消臭方法は、臭いの強い香料で臭気をかくしたり、樟脳油、針葉油、ユーカリ油などの植物系精製油で臭気を感覚的に取り除いたりするものであった。しかしながら、これら感覚的消臭方法は、所詮感覚的に不快な悪臭を隠すだけで根本的な解決には役立っていない。
【０００８】
また、前記物理的消臭方法は、活性炭やゼオオライトなどの多孔性物質に臭気物質を閉じ込めて揮発を抑えるものであった。しかしながら、これら物理的消臭方法は、周囲の雰囲気を消臭できるものの、詰め物そのものに臭いの元が吸着するため、その詰め物の極近傍は逆に悪臭が漂いふとんや枕のように顔が直接ふれるものの場合、いやな臭いを発することがある。
【０００９】
また、化学的消臭方法は、臭気物質をあまり臭わない他の物質に化学変化させたり、化学的に臭気物質を吸着させたりして消臭するものであった。これら化学的消臭方法は、臭いそのものが無くなるので有効な消臭手段であるが、原理的に消臭効果に限界があるという課題があった。
【００１０】
さらに、近年、光触媒作用を用いて臭いの元である物質そのものを酸化／分解させる機能がある技術は提唱されている。この技術は臭いの元そのものを酸化／分解させるため着臭防止、抗菌性、防汚性などの効果も期待され、有望な技術として注目を浴びているが、光触媒作用により有機物である詰め物そのものに強度等劣化などの悪影響をおよぼす危険性がある等の課題があった。
【００１１】
【特許文献１】本願出願人は、先行技術を調査したが、原羽毛の表面に無機系複合抗菌剤が付着された羽毛に関連する先行技術文献を見付け出すことができなかった。
【発明の開示】
【発明が解決しようとする課題】
【００１２】
本発明は、前記従来技術の問題点や課題に鑑み、使用に際して強度等劣化がなく、持続性のある着臭効果及び消臭効果があり、更に、抗菌性、防カビ性および防汚性等を満足させる優れた羽毛及び当該羽毛を詰めた蒲団等寝具類並び同羽毛を詰めた衣類を提供すること目的とする。
【課題を解決するための手段】
【００１３】
本発明は、前記諸問題点及び課題を解消するために、次のように構成にされたものである。
【００１４】
請求項１に係る羽毛にあっては、原羽毛が基材にされ、当該基材の表面に無機系複合抗菌剤が付着されたものである。
【００１５】
請求項２に係る羽毛にあっては、無機系複合抗菌剤は、アパタイトと酸化チタン光触媒剤の複合剤であるものである。
【００１６】
請求項３に係る羽毛にあっては、無機系複合抗菌剤は、アパタイトが酸化チタン光触媒剤の表面に被覆されたものである。
【００１７】
請求項４に係る羽毛にあっては、無機系複合抗菌剤は、アパタイトの被覆が酸化チタン光触媒剤の表面を一部露呈した状態で施されたものである。
【００１８】
請求項５に係る羽毛にあっては、無機系複合抗菌剤は、アパタイトと銀等無機抗菌剤の複合剤であるものである。
【００１９】
請求項６に係る羽毛にあっては、ゼオライトと酸化チタン光触媒剤の複合剤であるものである。
【００２０】
請求項７に係る羽毛にあっては、無機系複合抗菌剤は、ゼオライトと銀等無機抗菌剤との複合剤であるものである。
【００２１】
請求項８に係る羽毛にあっては、銀等無機抗菌剤は、銀、銅、亜鉛等金属と、その化合物若しくはそれらの混合物を無機物に担持させたものである。
【００２２】
請求項９に係る羽毛にあっては、無機系複合抗菌剤は、バインダーに混入され、噴霧により基材の表面に付着されたものである。
【００２３】
請求項１０に係る羽毛にあっては、無機系複合抗菌剤の付着が、基材の表面に接着面を形成してされたものである。
【００２４】
請求項１１に係る羽毛にあっては、無機系複合抗菌剤の付着が、洗浄・脱水後の原羽毛の乾燥工程直後にされたものである。
【００２５】
請求項１２に係る羽毛にあっては、無機系複合抗菌剤の付着が、温度７０〜１１０℃、時間３０〜１５分でされたものである。
【００２６】
請求項１３に係る寝具類にあっては、請求項１〜請求項１２のいずれか一つの請求項記載の羽毛を入れて構成されたものである。
【００２７】
請求項１４に係る衣類にあっては、請求項１〜請求項１２のいずれか一つの請求項記載の羽毛を入れて構成されたものである。
【発明の効果】
【００２８】
請求項１に係る羽毛は、原羽毛が基材にされ、当該基材の表面に無機系複合抗菌剤が付着されたものであるので、消臭性、抗菌性、防カビ性、及び防汚性を効率よく発揮できる。
【００２９】
請求項２に係る羽毛は、無機系複合抗菌剤は、アパタイトと酸化チタン光触媒剤の複合剤であるので、より高い、消臭性、抗菌性、防カビ性、及び防汚性を効率よく発揮できる。
【００３０】
請求項３に係る羽毛は、無機系複合抗菌剤は、アパタイトが酸化チタン光触媒剤の表面に被覆されたものであるので、さらにより高い、消臭性、抗菌性、防カビ性、及び防汚性を効率よく発揮でき、しかもアパタイトによって原羽毛と酸化チタン光触媒剤が隔離されるので、酸化チタン光触媒剤による原羽毛の強度等劣化を防ぐことができる。
【００３１】
請求項４に係る羽毛は、無機系複合抗菌剤は、アパタイトの被覆が酸化チタン光触媒剤の表面を一部露呈した状態で施されたものであるので、酸化チタン光触媒剤がより効果的に機能できる。
【００３２】
請求項５に係る羽毛は、無機系複合抗菌剤は、アパタイトと銀等無機抗菌剤の複合剤であるので、消臭性、抗菌性、防カビ性、及び防汚性を効率よく発揮できる。
【００３３】
請求項６に係る羽毛は、無機系複合抗菌剤は、ゼオライトと酸化チタン光触媒剤の複合剤であるので、消臭性、抗菌性、防カビ性、及び防汚性を効率よく発揮できる。
【００３４】
請求項７に係る羽毛は、無機系複合抗菌剤は、ゼオライトと銀等無機抗菌剤との複合剤であるので、消臭性、抗菌性、防カビ性、及び防汚性を効率よく発揮できる。
【００３５】
請求項８に係る羽毛は、銀等無機抗菌剤は、銀、銅、亜鉛等金属と、その化合物若しくはそれらの混合物を無機物に担持させたものであるので、消臭性、抗菌性、防カビ性、及び防汚性を効率よく発揮できる。
【００３６】
請求項９に係る羽毛は、無機系複合抗菌剤がバインダーに混入され、噴霧により基材の表面に付着されたものであるので、無機系複合抗菌剤の付着作業が容易にできる。
【００３７】
請求項１０に係る羽毛は、無機系複合抗菌剤の付着が、基材の表面に接着面を形成してされたものであるので、無機系複合抗菌剤の表面の露出面積が広くて、細菌、悪臭成分の吸着性が極めてよい、高い脱臭機能性及び除菌機能性を備えた、嵩高性も良好な製品を確実に提供できる。
【００３８】
請求項１１に係る羽毛は、無機系複合抗菌剤の付着が、洗浄・脱水後の原羽毛の乾燥工程直後にされたものであるので、洗浄・脱水工程後の広がりきった状態で無機系複合抗菌剤が付着された、嵩高性に特に優れた良質の製品を提供できる。
【００３９】
請求項１２に係る羽毛は、無機系複合抗菌剤の付着が、温度７０〜１１０℃、時間３０〜１５分でされたので、時間をかけて低温で処理された、より嵩高性のあるより良質の製品を提供できる。
【００４０】
請求項１３に係る寝具類は、請求項１〜請求項１２のいずれか一つの請求項記載の羽毛を入れて構成されたものであるので、消臭性、抗菌性、防カビ性および防汚性を備えた、衛生効果の高い良品を提供できる。
【００４１】
請求項１４に係る衣類は、請求項１〜請求項１２のいずれか一つの請求項記載の羽毛を入れて構成されたものであるので、消臭性、抗菌性、防カビ性および防汚性を備えた、衛生効果の高い良品を提供できる。
【発明を実施するための最良の形態】
【００４２】
図１及び図２に示す第１実施の形態に係る羽毛１０は、原羽毛１が基材２にされ、当該基材２の表面にアパタイト４と二酸化チタン光触媒剤５からなる無機系複合抗菌剤３が噴霧により付着されたものである。
【００４３】
前記無機系複合抗菌剤３は、表面をもつ二酸化チタン光触媒剤５を擬似体液（図示せず）に浸漬することにより前記表面に多孔質リン酸カルシウム膜（アパタイト４）が被覆されたものであって、バインダー６に混入され、噴霧により基材２の表面に付着しうるようにされたものである。なお、前記擬似体液は、NaCl、NaHCO3、 KCl、 K2HPO4・3H2O、MgCl2・6H2O、CaCl2 と、Na2SO4、 HCl、(CH2OH)3CNH2と、蒸留水とを用いて、 Na+147mM、K+5mM、Ca2+2.5mM、Mg2+1.5mM、 Cl-147mM、 HCO3-4.2mM、HPO42-1.0mM、SO42-0.5mM の組成で、ｐＨ７．４の水溶液に調整したものが好ましい。
【００４４】
因みに、前記無機系複合抗菌剤３は、光（紫外線）が二酸化チタン光触媒剤５の表面に到達する状態にされているものであれば充分に機能してその効果を発揮できるので、前記二酸化チタン光触媒剤５は、その表面が、アパタイト４によって適度に被覆されていることが望ましい。完全に被覆されていないものでも、薄い膜部分が存在するものでもよい。要するに好ましくは、アパタイト４の吸着機能の再生が効率よくできる状態になっていることが望ましく、効果が期待できる。
【００４５】
前記噴霧による無機系複合抗菌剤３の付着は、洗浄・脱水後の原羽毛の乾燥工程直後に、温度７０〜１１０℃、時間３０〜１５分でされている。なお、この噴霧による無機系複合抗菌剤３の付着は、洗浄・脱水後の原羽毛の乾燥工程中に、温度１２５〜１３５℃、圧力２.５〜３.５ｋｇ/ｃｍ2の乾燥釜内で行うことができる。この場合、テフロン（テトラフルオロエチレン重合体の商品名）の溶液に前記無機系複合抗菌剤３を混入して噴霧することで撥水・防水性にも優れた製品を得ることができる。前記テフロン（テトラフルオロエチレン重合体の商品名）の溶液は、バインダーとして機能する。
【００４６】
前記バインダー６は、アルキルシリケート系樹脂、シリコーン系樹脂、フッ素系樹脂、アクリル系樹脂、ウレタン系樹脂、ポリエステル系樹脂、その他から選ばれた少なくとも１種であればよい。
【００４７】
本発明にあっては、酸化チタンの中でも二酸化チタン光触媒剤が好ましく、またアパタイトの中でも多孔質リン酸カルシウムが好ましい。さらに、無機系複合抗菌剤３は、例えば特許第３２７５０３２号公報記載の環境浄化材料が好ましい。
【００４８】
前記無機系複合抗菌剤３の基材２に対する付着量は、好ましくは、0.1〜0.2重量％がよい。また、前記無機系複合抗菌剤３のバインダー６に対する混合量は、0.5〜1.0重量％がよい。さらに、バインダーにはアクリル系樹脂若しくはウレタン系樹脂を用いることによって洗濯耐久性、製品の風合い、コスト等が飛躍的に改善されて好ましい。
【００４９】
図３に示す第２実施の形態に係る羽毛２０は、無機系複合抗菌剤２１の付着が、次の要領（製法）でされたものである。
【００５０】
すなわち、洗浄・脱水後の原羽毛の乾燥工程直後に当該原羽毛（基材）２２の表面に無機系複合抗菌剤が混入されていないバインダー２３を付着させて接着面２４を形成し、この接着面２４が接着力を有している間（溶融中）に当該接着面２４の表面に予め前記と同じ様にして得ておいた粉末状の無機系複合抗菌剤２１を塗し着け、その後に前記バインダー２３及び接着面２４を硬化させる。
【００５１】
前記要領（製法）により得た第２実施の形態に係る羽毛２０は、図３を見れば判るように、無機系複合抗菌剤２１の露出面積がトータル的に広く、機能的に好ましい。この第２実施の形態に係る羽毛２０は、無機系複合抗菌剤２１の露出している部分が他のものとの接触で落ち散らないようにすることが望ましい。
【００５２】
図４に示す第３実施の形態に係る蒲団３０は、前記羽毛１０，２０を蒲団皮３１に詰めて完成されたものである。
【００５３】
図５に示す第４実施の形態に係る衣類４０は、前記羽毛１０，２０を外装布４１に詰めて完成されたものである。
【００５４】
そもそも、前記各実施の形態において用いた二酸化チタン光触媒剤５は、これを単独で樹脂や有機系の塗料等に混入した場合には、
a.基材やバインダーそのものを分解して、変色させたり、ぼろぼろにしてしまうため、そのままでは混合して応用できない、
b.また大気中に遊離したり液中に分散している有機物や細菌等を引き寄せたり、多量に吸着しておくことができないため、たまたま比較的長い時間接触していた物質しか分解できない、
c.さらには光が当たらないとまったく機能しない、
というような欠陥を有している。
【００５５】
そこで、前記各実施の形態は、二酸化チタン光触媒剤５の表面にナノメートルオーダーのアパタイト結晶を析出させて、前記の諸欠点を解消するようにされた無機系複合抗菌剤を採用している。
【００５６】
前記各実施の形態において前記アパタイトは、光が当たらなくとも細菌やウィルス等のタンパク質や、アンモニア、窒素酸化物、アルデヒド類等の有機化合物質を大量に吸着する吸着剤として機能する。
【００５７】
また、前記酸化チタン（二酸化チタン）光触媒剤は、光が当たると強い酸化力を発揮して有害な有機化合物質や細菌、臭い等を炭酸ガスや水等に分解／除去する無毒化力を備えた光触媒剤として機能する。
【００５８】
すなわち、前記無機系複合抗菌剤は、吸着機能と分解機能を兼備した無機系複合抗菌体であって、次のような特徴を備えているものである。
【００５９】
（１）アパタイトに吸着した有毒物質は、光が当たれば酸化チタン（二酸化チタン）光触媒剤によって分解・除去されるため、アパタイトの吸着機能はその都度再生されることになり、半永久的に使用し続けることができる。
（２）夜間は勿論、蒲団皮の中や衣類の表装布の中のように光が微弱な場合でも暗いところでもアパタイトによって、多量の細菌や有害物質を吸着し続けることができる。蒲団や衣類の中の有害物質程度であれば何日かは、光がなくても吸着・除去機能を発揮できる。
（３）酸化チタン（二酸化チタン）光触媒剤に被覆されたアパタイトは、羽毛と酸化チタン（二酸化チタン）を隔離する働きをする。したがって酸化チタン（二酸化チタン）は、基材である羽毛を弱化することがない。
（４）アパタイトで捉えておいた状態で、酸化チタン（二酸化チタン）光触媒剤は有害物質を分解することができるので、わずかな光でも効率よく確実に分解することができる。（そもそも、酸化チタンは、有機物を炭酸ガスと水に分解するのに一定の時間が必要であるため、たまたま一定時間表面に留まっていた物質しか分解できない。）
【００６０】
前記酸化チタン（二酸化チタン）光触媒剤は、主に紫外線により励起され、強い酸化力によって有機物を酸化分解する特性を有するものであり、具体的には、アナターゼ型、ルチル型と呼ばれる結晶型の構造をもつものである。
【００６１】
要するに、本発明は、前記吸着剤が光が当たらなくとも細菌やアンモニア臭などの有機物質を吸着する吸着力を有している点、及び光触媒剤（二酸化チタン）が光が当たると前記有機物質を分解、無毒化する力すなわち消臭化力、着色物分解除去力（防汚力）、殺菌力（抗菌力、防カビ力）を有している点に着目したものである。
【実施例】
【００６２】
以下、本発明の実施例を説明する。
【００６３】
従来法と同様に原羽毛（２０Kg）を前除塵→洗浄→脱水処理した後、温度１１０℃の乾燥釜（図示せず）内に入れて１５分間乾燥を行なった。この乾燥釜内には噴霧装置のノズル先端を臨ませており、乾燥中に当該該ノズルから水で薄めた前記無機系複合抗菌剤３の混入溶液を対羽毛重量比で37.5％（7.5リットル）噴霧した。
【００６４】
その結果、噴霧した前記無機系複合抗菌剤３の混入溶液の90％が基材２に付着し、基材２の表面に無機系複合抗菌剤３を付着させることができた。
【００６５】
なお、前記無機系複合抗菌剤３の混入溶液に蛍光剤（例えば、対羽毛重量比で0.2〜0.3 ％）を添加混合しておいて噴霧すれば、無機系複合抗菌剤３の混入溶液と共に蛍光剤が基材（原羽毛）に付着し、無機系複合抗菌剤３が基材２（原羽毛）にどの程度付着しているかを目視により判定することができて好ましい。
【００６６】
なお、前記実施例についての、アンモニア吸着性、消臭性、抗菌性などの品質評価を行ったところ、次に示す表の通りであった。
【００６７】
【表１】
2005314849.tif 000003
【００６８】
表１から明らかなように、実施例のものは、アンモニア吸着性については、極めて高いレベルの機能を発揮しており、優れていることがわかる。
【００６９】
【表２】
2005314849.tif 000004
【００７０】
表２から明らかなように、実施例のものは、アンモニア、酢酸の消臭性については、極めて高いレベルの機能を発揮しており、優れていることがわかる。
【００７１】
【表３】
2005314849.tif 000005
【００７２】
表３から明らかなように、実施例のものは、抗菌性については、極めて高いレベルの機能を発揮しており、優れていることがわかる。
【００７３】
また、第１実施の形態に係る羽毛について、加工前羽毛と加工後羽毛と従来羽毛との比較で嵩高性試験を行った。なお、この試験は、中国産ホワイトグースダウンを使用し、JIS  L-1980及び日羽協B法（前処理）に従い測定した。
【００７４】
すなわち、耐久性試験重量５０g の試料を大きさ３０cm×３０cmの小枕の中に入れ、これを直径３０cm、高さ６０cmの縦型円筒容器に収容し、ロッド下端に直径２０cmの鉄円盤が固定されたシリンダーにより上下動する試験器を用いて、当該円盤で小枕を１０００回押付ける抵抗試験を行った後、試料を小枕から取出して内径２９０mm、高さ５００mmの透明円筒内に収容し、その上に重量１２０g で直径２８５mmのアルミニウム製の荷重用円盤を載せて嵩高を測定した。その結果を表４に示す。
【００７５】
【表４】
2005314849.tif 000006
【００７６】
表４から明らかなように、加工後羽毛は、嵩高性が顕著にアップしていることが分る。
【００７７】
なお、前記実施例の羽毛を使用して蒲団、衣服を作成し、実用テストをした結果、極めて優れた消臭効果、抗菌効果があることを確認できた。
【００７８】
本発明は、アパタイトと銀等無機抗菌剤の複合剤を無機系複合抗菌剤として用いること、ゼオライトと酸化チタン光触媒剤の複合剤を無機系複合抗菌剤として用いること、ゼオライトと銀等無機抗菌剤の複合剤を無機系複合抗菌剤として用いること、また無機抗菌剤として銀、銅、亜鉛等金属と、その化合物若しくはそれらの混合物を無機物に担持させたものを用いることでそれぞれ実施できる。
【００７９】
前記段落番号[００７１]記載の実施により得た羽毛及び当該羽毛を使用した蒲団、衣服は、テストをした結果、前記第１〜４実施の形態に係る羽毛及び当該羽毛を使用した蒲団、衣服と遜色のない効果を発揮することが確認できた。
【図面の簡単な説明】
【００８０】
【図１】第１実施の形態に係る羽毛を示す斜視図である
【図２】同じく要部を示す拡大断面図である。
【図３】第２実施の形態に係る羽毛の要部を示す拡大断面図である。
【図４】第３実施の形態に係る蒲団を示す一部切截斜視図である。
【図５】第４実施の形態に係る衣類を示す一部切截斜視図である。
【符号の説明】
【００８１】
１  原羽毛
２  基材
３  無機系複合抗菌剤
４  アパタイト
５  二酸化チタン光触媒剤
６  バインダー
１０  羽毛
２０  羽毛
２１  無機系複合抗菌剤
２２  原羽毛（基材）
２３  バインダー
２４  接着面
３０  蒲団
３１  蒲団皮
４０  衣類
４１  外装布
【図１】
2005314849.tif 000007
【図２】
2005314849.tif 000008
【図３】
2005314849.tif 000009
【図４】
2005314849.tif 000010
【図５】
2005314849.tif 000011
【手続補正書】
【提出日】平成16年5月7日(2004.5.7)
【手続補正２】
【補正対象書類名】明細書
【補正対象項目名】０００１
【補正方法】変更
【補正の内容】
【０００１】
本発明は、蒲団等詰め物入り寝具類、詰め物入り衣類に詰め物として用いる羽毛及び当該羽毛を詰めた蒲団等寝具類並びに同羽毛を詰めた衣類に関し、詳しくは、着臭防止力、消臭力、抗菌力、防カビ力および防汚力に優れた羽毛及び当該羽毛を詰めた蒲団等寝具類並びに同羽毛を詰めた衣類に関する。  
【手続補正３】
【補正対象書類名】明細書
【補正対象項目名】００１２
【補正方法】変更
【補正の内容】
【００１２】
本発明は、前記従来技術の問題点や課題に鑑み、使用に際して強度等劣化がなく、持続性のある着臭効果及び消臭効果があり、更に、抗菌性、防カビ性および防汚性等を満足させる優れた羽毛及び当該羽毛を詰めた蒲団等寝具類並びに同羽毛を詰めた衣類を提供すること目的とする。